(57)【要約】【課題】端部シートと中央部シートとの接合部分の強度に優れながら、ゴミ等がファスナーに付着しない止水装置を提供する。【解決手段】通路の床面を横断する格納溝と、前記通路の両端から立設され、その長手方向を上下方向にした接合帯を備える端部シートと、その下端部が前記格納溝に取付けられ、通常時は前記格納溝に格納されるとともに使用時には前記接合帯に接合される被接合帯を左右両端部に備える中央部シートと、を備え、前記接合帯及び前記被接合帯が、前記端部シートと前記中央部シートとを接合する防水ファスナーと、前記端部シート又は前記中央部シートのどちらか一方から前記防水ファスナーの表面及び裏面を覆いながら他方まで延伸される２つの持ち出し部と、前記持ち出し部を前記端部シート又は前記中央部シートに係着するための係着部と、を備える。【選択図】図１
2018131862.tif 000002
【特許請求の範囲】
【請求項１】
通路の床面を横断する格納溝と、
前記通路の両端から立設され、その長手方向を上下方向にした接合帯を備える端部シートと、
その下端部が前記格納溝に取付けられ通常時は前記格納溝に格納されるとともに、使用時には左右両端部に設けられた被接合帯が前記接合帯に接合されることにより立設される中央部シートと、を備え、
前記接合帯及び前記被接合帯が、
前記端部シートと前記中央部シートとを接合する防水ファスナーと、
前記端部シート又は前記中央部シートのどちらか一方から前記防水ファスナーの表面及び裏面を覆いながら他方まで延伸される２つの持ち出し部と、
前記持ち出し部を前記端部シート又は前記中央部シートに係着するための係着部と、
を備えることを特徴とする止水装置。
【請求項２】
前記係着部が面ファスナーであることを特徴とする請求項１に記載の止水装置。
【請求項３】
前記面ファスナーが、前記端部シート及び前記中央部シートに設けられ、前記防水ファスナーの周りのうち少なくとも左右及び下側を囲うように設けられていることを特徴とする請求項２に記載の止水装置。
【請求項４】
前記端部シートの上方に、前記中央部シートを上方に持ち上げた状態で係止する係止部と、
前記中央部シートの両端かつ上部に前記係止部に係止される被係止部と、を備えることを特徴とする請求項１ないし３のいずれか１項に記載の止水装置。
【発明の詳細な説明】
【技術分野】
【０００１】
本発明は、河川の氾濫時等における洪水が発生したときに、建物や地下街等への水の浸入を防止するための止水装置に関する。
【背景技術】
【０００２】
従来、構築物の通路口に設置する防水シートにおいて、手作業で容易に短時間で堰上げることができ、かつ、堅固な構造となる浸水防止シート壁構造を提供することを目的として、特開２００１−１８２４５２号公報に、中央部シートと縁部シートとに分割された防水シートを備え、中央部シートの縁部と縁部シートとを水密ファスナーにより着脱自在に設けた浸水防止シート壁構造が開示されている。
【先行技術文献】
【特許文献】
【０００３】
【特許文献１】特開２００１−１８２４５２号公報
【発明の概要】
【発明が解決しようとする課題】
【０００４】
しかし、特許文献１に開示されている技術のうち、請求項１に開示されている技術では、水密ファスナーのみで水圧に耐える必要があり、強度に難点がある、又は強度を満たすために十分な大きさの水密ファスナを採用する必要があった。さらに、洪水時等の浸水では、細かなゴミ等も同時に流れてくることが多く、水密ファスナが直接浸水面に曝されていると、水が引くときに前記ゴミ等が付着してその後の清掃が必要となり、管理に手間がかかるという課題もあった。
【０００５】
また、特許文献１の請求項２及び３には、水密ファスナ部分の強度を向上させるために、中央部シートの縁部及び縁部シートの縁部をそれぞれ二又二枚の縁部に構成し、それぞれの両縁部を水密ファスナーにより着脱自在に設ける構成や、中央部シートの縁部及び縁部シートを連結解離可能な補強ベルトを複数箇所設ける構成が開示されているものの、これらの構成においても、やはり水密ファスナにゴミ等が付着するという課題があった。
【０００６】
また、特許文献１の請求項２及び３に開示された構成では、補強ベルトの操作が必要なことから、洪水等の緊急時に浸水防止シート壁構造を設置するのに時間がかかりやすいといった課題もあった。
【０００７】
本発明は、上記の点に鑑みなされたもので、端部シートと中央部シートとの接合部分の強度に優れながら、ゴミ等がファスナーに付着しない止水装置を提供することを目的とする。
【０００８】
また、本発明の別の目的は、簡単に設置することができながら、端部シートと中央部シートとの接合部分の強度に優れた止水装置を提供することである。
【課題を解決するための手段】
【０００９】
（１）本発明の止水装置は、
通路の床面を横断する格納溝と、
前記通路の両端から立設され、その長手方向を上下方向にした接合帯を備える端部シートと、
その下端部が前記格納溝に取付けられ通常時は前記格納溝に格納されるとともに、使用時には左右両端部に設けられた被接合帯が前記接合帯に接合されることにより立設される中央部シートと、を備え、
前記接合帯及び前記被接合帯が、
前記端部シートと前記中央部シートとを接合する防水ファスナーと、
前記端部シート又は前記中央部シートのどちらか一方から前記防水ファスナーの表面及び裏面を覆いながら他方まで延伸される２つの持ち出し部と、
前記持ち出し部を前記端部シート又は前記中央部シートに係着するための係着部と、
を備えることを特徴とする。
【００１０】
本発明の止水装置によれば、端部シートの接合帯と中央部シートの被接合帯との接合部分において、防水ファスナーを両面から覆う２つの持ち出し部と、前記持ち出し部を接合するための係着部とを備えるため、防水ファスナーで浸水を防止しながら、水圧による中央部シートを引き離そうとする力に対し、防水ファスナーと２つの持ち出し部で分散して対応させることができる。また、防水ファスナーを持ち出し部で覆っているため、浸水に含まれるゴミ等が防水ファスナーに付着することがなく、管理が容易となる。
【００１１】
（２）本発明の止水装置の好ましい例は、
前記係着部が面ファスナーであることを特徴とする。
【００１２】
本発明の止水装置の好ましい例によれば、係着部が面ファスナーであるため、特に操作が必要となるのは片方の接合部分あたり１つの防水ファスナーのみであり、面ファスナーはその表面から軽く押えるだけで接合することができる。これにより、中央部シートを端部シートに接合する際の手間を削減しながら、強度に優れた止水装置とすることができる。
【００１３】
（３）本発明の止水装置の好ましい例は、
前記面ファスナーが、前記端部シート及び前記中央部シートに設けられ、前記防水ファスナーの周りのうち少なくとも左右及び下側を囲うよう設けられていることを特徴とする。
【００１４】
本発明の止水装置の好ましい例によれば、面ファスナーが防水ファスナーの周りを囲っているため、洪水等で溢れた水に含まれるゴミの付着をより防止することができる。また、面ファスナーの本数及び面積を増加させることができ、より強度に優れたものとすることができる。
【００１５】
（４）本発明の止水装置の好ましい例は、
前記端部シートの上方に、前記中央部シートを上方に持ち上げた状態で係止する係止部と、
前記中央部シートの両端かつ上部に前記係止部に係止される被係止部と、を備えることを特徴とする。
【００１６】
本発明の止水装置の好ましい例によれば、防水ファスナーを閉じる前に、係止部と被係止部によって中央部シートを持ち上げた状態で保持することができ、一人で容易に中央部シートを端部シートに接合することができる。
【発明の効果】
【００１７】
上述のように、本発明の止水装置によれば、端部シートと中央部シートとの接合部分の強度に優れながら、ゴミ等がファスナーに付着せず、管理を容易なものとすることができる。
【００１８】
また、係着部に防水ファスナー及び面ファスナーを採用することで簡単に設置することができながら、接合部の強度に優れたのものとすることができる。
【図面の簡単な説明】
【００１９】
【図１】本発明の一実施形態に係る止水装置を示す図である。
【図２】止水装置の平面図である。
【図３】図２に示す止水装置のＡ−Ａ線断面図である。
【図４】接合帯と被接合帯とを説明する図である。
【図５】面ファスナーの他の実施形態を説明する図である。
【発明を実施するための形態】
【００２０】
以下、本発明に係る止水装置の実施の形態について、添付図面を参照して詳細に説明する。図１は本発明の一実施形態に係る止水装置を示す図、図２は止水装置の平面図、図３は図２に示す止水装置のＡ−Ａ線断面図である。
【００２１】
図１ないし図３に示すように、本実施形態の止水装置１０は、格納溝１１と、フレーム２０と、溝蓋１２と、端部シート３０と、中央部シート３１とを備える。
【００２２】
格納溝１１は、通路の床面１３を横断しつつ、床面１３から掘り下げて設けられているものである。そして、格納溝１１の底面には後述するフレーム２０の一部が設置されるとともに、浸水のおそれがない通常時には中央部シート３１が折畳みないし巻かれて格納されている。
【００２３】
フレーム２０は、横フレーム２１と、縦フレーム２２と、シート押え２３とを備える。横フレーム２１は、通路を横断する長さと略同じであり格納溝１１の底面に設置される。縦フレーム２２は、前記横フレーム２１の両端、すなわち通路の両端近傍から立設され、壁面１４等に固定された２本のフレームである。また、縦フレーム２２のそれぞれの対向する面の下端近傍には、溝蓋１２を載置させるブラケット２５が設けられる。シート押え２３は、横フレーム２１及び縦フレーム２２の鉛直方向の広い面に公知のボルトナット２４等で設けられる板材であり、シート押え２３と横フレーム２１及び縦フレーム２２との間に端部シート３０の左右方向の外側端部及び中央部シート３１の下端部を挟み込み固定する。また、縦フレーム２２の上部、すなわち端部シート３０の上方には、中央部シート３１を上方に持ち上げた状態で係止する係止部４０を備える。
【００２４】
溝蓋１２は、浸水のおそれがない通常時に中央部シート３１を格納した格納溝１１を塞ぐもので、通常時はその両端部が上記のブラケット２５に載置されている。一方、浸水のおそれがるとき、すなわち止水装置１０の使用時には、溝蓋１２は取り外される。
【００２５】
端部シート３０は、その左右方向の外側端部がシート押え２３によって縦フレーム２２に取り付けられ、通路の両端に立設されている。そして、端部シート３０の左右方向の内側端部には、その長手方向を上下方向にした接合帯３２を備え、この接合帯３２及び後述する被接合帯３３によって端部シート３０と中央部シート３１とが接合される。なお、接合帯３２及び被接合帯３３の詳細については後述する。
【００２６】
中央部シート３１は、通路の幅から上記端部シート３０の幅を差し引いた横幅を有し、その下端部が格納溝１１に設置された横フレーム２１にシート押え２３によって取り付けられている。そして、中央部シート３１は、浸水のおそれがない通常時は格納溝１１に格納され、その上から溝蓋１２が被せられる。一方、洪水等の浸水のおそれがあるようなときは、格納溝１１から上方に引き上げられ、中央部シート３１の左右方向の両端部に設けられた被接合帯３３によって端部シート３０の接合帯３２と接合され立設される。また、中央部シート３１の両端かつ上部には、上記係止部４０に係止される被係止部４１を備える。
【００２７】
次に、図３及び図４を参照しながら接合帯３２及び被接合帯３３を説明する。図４は、図２の左側端部近傍を拡大した、接合帯３２と被接合帯３３とを説明する図である。接合帯３２及び被接合帯３３は、それぞれ端部シート３０及び中央部シート３１に設けられ、端部シート３０及び中央部シート３１を接合又は分離させるものであり、防水ファスナー３４と２つの持ち出し部３５と係着部３６とを備える。
【００２８】
防水ファスナー３４は、端部シート３０の左右方向の内側端部と、中央部シート３１の左右方向の外側端部に設けられるもので、接合されることで浸水した水が建物内等に入ってくることがなくなる。
【００２９】
持ち出し部３５は、端部シート３０又は中央部シート３１のどちらか一方から上記防水ファスナー３４の表面及び裏面を覆いながら他方まで延伸されるものである。本実施形態の止水装置１０では、持ち出し部３５は、端部シート３０の表面と裏面に設けられ、防水ファスナー３４を覆いながら中央部シート３１の左右方向の外側端部近傍まで延びている。
【００３０】
係着部３６は、持ち出し部３５を端部シート３０又は中央部シート３１に係着するためのものである。本実施形態の止水装置１０では、持ち出し部３５が端部シート３０に設けられて中央部シート３１に延伸されており、係着部３６は持ち出し部３５と中央部シート３１とを係着する。係着部３６としては、フック、ナスカン、錠前等の公知の止め金具や、ベルト、ボタン等を採用することができ、本実施形態の止水装置１０では、面ファスナー３６を採用している。
【００３１】
また、図５に示すように、面ファスナー３７を端部シート３０及び中央部シート３１の双方に設け、正面視縦長ロ字状として、防水ファスナー３４の周りを囲うようにしてもよい。面ファスナー３７をこのように構成することで、防水ファスナー３４にゴミがより付着しにくくなるとともに、面ファスナー３７の本数及び面積を増加させることができ、接合帯３２及び被接合帯３３の接合の強度を向上させることができる。さらに、面ファスナー３７は、
防水ファスナー３４の周りのうち少なくとも左右及び下側を囲うようにされていればよく、図中に示す正面視縦長ロ字状の面ファスナー３７の上辺部分のみを取除いて縦長右コ字状としてもよい。
【００３２】
次に、以上説明した止水装置１０の各構成要素を踏まえて、本実施形態の止水装置１０の使用方法を説明する。既に述べたように、浸水のおそれがない通常時には、中央部シート３１は格納溝１１に格納され、その上から溝蓋１２がブラケット２５に載置され、通路面には段差等ができないようにされている。
【００３３】
そして、大雨等で水が溢れて建物等に水が侵入するおそれがあるとき、先ず、格納溝１１を覆っている溝蓋１２を取り外す。そして、格納溝１１に格納されている中央部シート３１を引き出し、中央部シート３１の左右方向の端部かつ上端近傍に設けられた被係止部４１を、縦フレーム２２の上端近傍に設けられた係止部４０に係止させる。これにより、特に人手等で保持しなくとも中央部シート３１が広がった状態となり、後の作業である接合帯３２と被接合帯３３との接合がし易くなる。
【００３４】
次に、接合帯３２及び被接合帯３３に設けられた防水ファスナー３４を閉める。そして、持ち出し部３５を防水ファスナー３４の表面と裏面の両方から被せることによって、防水ファスナー３４を覆いながら、係着部である面ファスナー３６で持ち出し部３５を中央部シート３１に係着させる。これにより、防水ファスナー３４で建物内等への浸水を防止しながら、水圧による防水ファスナー３４を開こうとする力に対し、面ファスナー３６で強固に接合させることができる。また、持ち出し部３５が防水ファスナー３４を覆っているため、溢れだした水に含まれる細かなゴミ等が防水ファスナー３４に付着することがない。
【００３５】
以上、説明したように、本実施形態の止水装置１０によれば、接合帯３２及び被接合帯３３による接合部を、防水ファスナー３４及び２つの持ち出し部３５で接合しているため、防水性を保ちながら、接合部を強固なものとすることができる。また、持ち出し部３５によって防水ファスナー３４が覆われているため、氾濫した水に含まれるゴミ等が防水ファスナー３４に付着しない。これにより、水が引いた後に防水ファスナー３４を洗浄等せずに操作しても、ファスナーのスライダーやエレメントにゴミが噛み込まず、防水ファスナー３４が破損したり防水性能が低下したりすることがない。
【００３６】
また、止水装置１０の操作において、防水ファスナー３４を閉めた後は、持ち出し部３５を手で押さえて面ファスナー３６同士を係着させるだけで済むため、洪水発生時等の緊急時においても速やかに中央部シート３１を端部シート３０に接合することができる。また、中央部シート３１を上方に持ち上げた状態で係止する係止部４０と、係止部４０に対応する被係止部４１とを備えるため、一人でも容易に止水装置１０の操作をすることができる。
【００３７】
なお、上述した実施形態は、本発明に係る止水装置の例示であり、発明の趣旨を逸脱しない範囲において、その構成を適宜変更することができる。例えば、上記実施形態では、持ち出し部を防水ファスナーの表面裏面の両方ともに端部シートから中央部シートに向かって延伸させているが、表面裏面の両方ともに中央部シートから端部シートに延伸させる、又は一方の面は端部シートから中央部シートに向かって延伸させ他方の面は中央部シートから端部シートに延伸させることもできる。
【符号の説明】
【００３８】
１０・・止水装置、
１１・・格納溝、１２・・溝蓋、１３・・床面、１４・・壁面、
２０・・フレーム、２１・・横フレーム、２２・・縦フレーム、２３・・シート押え、２４・・ボルトナット、２５・・ブラケット、
３０・・端部シート、３１・・中央部シート、３２・・接合帯、３３・・被接合帯、３４・・防水ファスナー、３５・・持ち出し部、３６,３７・・面ファスナー（係着部）、
４０・・係止部、４１・・被係止部、
【図１】
2018131862.tif 000003
【図２】
2018131862.tif 000004
【図３】
2018131862.tif 000005
【図４】
2018131862.tif 000006
【図５】
2018131862.tif 000007